(57)【要約】【課題】独立に取得される情報である駐車場に設置されたカメラを用いて取得した車番の情報と、車両の軌跡の情報を用いて、駐車場の利用に関する分析に使えるデータを生成する。【解決手段】本発明のデータ生成システムは、場内装置とデータ生成装置とを備える。場内装置は、カメラ、車番認識部、車番情報生成部、車番情報記録部を備える。データ生成装置は、リスト生成部、車検登録情報取得部、軌跡情報取得部、情報突合部を備える。車検登録情報取得部は、車番ごとの車検登録情報を取得し、車番に対応する車番情報に車検登録情報を対応させる。軌跡情報取得部は、車両の位置と日時を示す情報である軌跡情報を取得する。情報突合部は、軌跡情報が示すカメラの位置のときの日時から、軌跡情報に対応する車番情報と車検登録情報とを求め、軌跡情報を車検登録情報に対応付ける。【選択図】図２
2015176289.tif 000002
【特許請求の範囲】
【請求項１】
場内装置とデータ生成装置とを備え、駐車場の利用に関する分析のためのデータを生成するデータ生成システムであって、
前記場内装置は、
前記駐車場に設置され、車両映像を取得するカメラと、
前記車両映像から車番を認識し、認識できた場合は車番を、認識できなかった場合はエラーを示すエラー情報を出力する車番認識部と、
前記車両映像ごとに、前記車番認識部が出力した車番またはエラー情報と当該車両映像が取得された日時の情報とを対応させた車番情報を取得する車番情報生成部と、
前記車番情報を記録する車番情報記録部と、
を備え、
前記データ生成装置は、
前記車番情報の車番を含む問い合わせリストを生成するリスト生成部と、
前記問い合わせリストの車番ごとの車検登録情報を取得し、当該車番に対応する車番情報に当該車検登録情報を対応させる車検登録情報取得部と、
前記駐車場を含むエリア内の車両の位置と日時を示す情報である軌跡情報を取得する軌跡情報取得部と、
前記軌跡情報が前記駐車場に入場したことを示している場合に、前記軌跡情報が示す前記カメラの位置のときの日時から、前記軌跡情報に対応する車番情報と車検登録情報とを求め、前記軌跡情報を車検登録情報に対応付ける情報突合部と、
前記車番情報と前記車検登録情報と前記軌跡情報を記録する記録部と、
を備える
データ生成システム。
【請求項２】
請求項１記載のデータ生成システムであって、
カメラは、前記駐車場の入口と出口の２か所に設置され、前記車番情報には、入口のカメラが取得した車両映像に基づく入庫車番情報と、出口のカメラが取得した車両映像に基づく出庫車番情報があり、
前記リスト生成部は、あらかじめ定めた比較条件を満たす複数の入庫車番情報と複数の出庫車番情報とを入力とし、車番が同一であり、かつ日時の矛盾が生じない入庫車番情報と出庫車番情報とがある場合には、当該入庫車番情報と当該出庫車番情報とを対応させ、その車番を含む問い合わせリストを生成し、
前記車検登録情報取得部は、入庫車番情報と出庫車番情報に当該車検登録情報を対応させ、
前記情報突合部は、
入庫車番情報の日時が、前記軌跡情報が示す入口のカメラの位置のときの日時とあらかじめ定めた範囲の日時であり、出庫車番情報の日時が、前記軌跡情報が示す出口のカメラの位置のときの日時とあらかじめ定めた範囲の日時である車検登録情報を求め、前記軌跡情報を車検登録情報に対応付ける
ことを特徴とするデータ生成システム。
【請求項３】
請求項１記載のデータ生成システムであって、
カメラは、前記駐車場の入口と出口の２か所に設置され、前記車番情報には、入口のカメラが取得した車両映像に基づく入庫車番情報と、出口のカメラが取得した車両映像に基づく出庫車番情報があり、
前記リスト生成部は、あらかじめ定めた比較条件を満たす複数の入庫車番情報と複数の出庫車番情報とを入力とし、車番が同一であり、かつ日時の矛盾が生じない入庫車番情報と出庫車番情報とがある場合には、当該入庫車番情報と当該出庫車番情報とを対応させ、その車番を含む問い合わせリストを生成し、
前記車検登録情報取得部は、入庫車番情報と出庫車番情報に当該車検登録情報を対応させ、
前記軌跡情報の日時を示す情報は、日時の範囲を示す情報であり、
前記情報突合部は、
入庫車番情報の日時が、前記軌跡情報が示す入口のカメラの位置のときの日時の範囲であり、出庫車番情報の日時が、前記軌跡情報が示す出口のカメラの位置のときの日時の範囲である車検登録情報を求め、前記軌跡情報を車検登録情報に対応付ける
ことを特徴とするデータ生成システム。
【請求項４】
駐車場の利用に関する分析のためのデータを生成するデータ生成装置であって、
車番情報を、当該車番情報を取得するために車両映像が取得された日時の情報と車番またはエラー情報とを対応させた情報とし、
前記車番情報の車番を含む問い合わせリストを生成するリスト生成部と、
前記問い合わせリストの車番ごとの車検登録情報を取得し、当該車番に対応する車番情報に当該車検登録情報を対応させる車検登録情報取得部と、
前記駐車場を含むエリア内の車両の位置と日時を示す情報である軌跡情報を取得する軌跡情報取得部と、
前記軌跡情報が前記駐車場に入場したことを示している場合に、前記軌跡情報が示す前記カメラの位置のときの日時から、前記軌跡情報に対応する車番情報と車検登録情報とを求め、前記軌跡情報を車検登録情報に対応付ける情報突合部と、
前記車番情報と前記車検登録情報と前記軌跡情報を記録する記録部と、
を備える
データ生成装置。
【請求項５】
請求項４記載のデータ生成装置であって、
前記車番情報には、前記駐車場の入口のカメラが取得した車両映像に基づく入庫車番情報と、前記駐車場の出口のカメラが取得した車両映像に基づく出庫車番情報があり、
前記リスト生成部は、あらかじめ定めた比較条件を満たす複数の入庫車番情報と複数の出庫車番情報とを入力とし、車番が同一であり、かつ日時の矛盾が生じない入庫車番情報と出庫車番情報とがある場合には、当該入庫車番情報と当該出庫車番情報とを対応させ、その車番を含む問い合わせリストを生成し、
前記車検登録情報取得部は、入庫車番情報と出庫車番情報に当該車検登録情報を対応させ、
前記情報突合部は、
入庫車番情報の日時が、前記軌跡情報が示す入口のカメラの位置のときの日時とあらかじめ定めた範囲の日時であり、出庫車番情報の日時が、前記軌跡情報が示す出口のカメラの位置のときの日時とあらかじめ定めた範囲の日時である車検登録情報を求め、前記軌跡情報を車検登録情報に対応付ける
ことを特徴とするデータ生成装置。
【請求項６】
請求項４記載のデータ生成装置であって、
前記車番情報には、前記駐車場の入口のカメラが取得した車両映像に基づく入庫車番情報と、前記駐車場の出口のカメラが取得した車両映像に基づく出庫車番情報があり、
前記リスト生成部は、あらかじめ定めた比較条件を満たす複数の入庫車番情報と複数の出庫車番情報とを入力とし、車番が同一であり、かつ日時の矛盾が生じない入庫車番情報と出庫車番情報とがある場合には、当該入庫車番情報と当該出庫車番情報とを対応させ、その車番を含む問い合わせリストを生成し、
前記車検登録情報取得部は、入庫車番情報と出庫車番情報に当該車検登録情報を対応させ、
前記軌跡情報の日時を示す情報は、日時の範囲を示す情報であり、
前記情報突合部は、
入庫車番情報の日時が、前記軌跡情報が示す入口のカメラの位置のときの日時の範囲であり、出庫車番情報の日時が、前記軌跡情報が示す出口のカメラの位置のときの日時の範囲である車検登録情報を求め、前記軌跡情報を車検登録情報に対応付ける
ことを特徴とするデータ生成装置。
【請求項７】
場内装置とデータ生成装置とを用いて、駐車場の利用に関する分析のためのデータを生成するデータ生成方法であって、
前記場内装置が、前記駐車場に設置されたカメラで取得した車両映像から車番を認識し、認識できた場合は車番を、認識できなかった場合はエラーを示すエラー情報を出力する車番認識ステップと、
前記場内装置が、前記車両映像ごとに、前記車番認識ステップが出力した車番またはエラー情報と当該車両映像が取得された日時の情報とを対応させた車番情報を取得する車番情報生成ステップと、
前記データ生成装置が、前記車番情報の車番を含む問い合わせリストを生成するリスト生成ステップと、
前記データ生成装置が、前記問い合わせリストの車番ごとの車検登録情報を取得し、当該車番に対応する車番情報に当該車検登録情報を対応させる車検登録情報取得ステップと、
前記データ生成装置が、前記駐車場を含むエリア内の車両の位置と日時を示す情報である軌跡情報を取得する軌跡情報取得ステップと、
前記データ生成装置が、前記軌跡情報が前記駐車場に入場したことを示している場合に、前記軌跡情報が示す前記カメラの位置のときの日時から、前記軌跡情報に対応する車番情報と車検登録情報とを求め、前記軌跡情報を車検登録情報に対応付ける情報突合ステップと、
を有するデータ生成方法。
【請求項８】
請求項４から６のいずれかに記載のデータ生成装置としてコンピュータを動作させるためのデータ生成プログラム。
【発明の詳細な説明】
【技術分野】
【０００１】
本発明は、駐車場の利用に関する分析のためのデータを生成するデータ生成システム、データ生成装置、データ生成方法、データ生成プログラムに関する。
【背景技術】
【０００２】
駐車場などにカメラを設置し、撮影した車両の映像から車番を認識する技術は、従来技術として知られている（特許文献１参照）。
【先行技術文献】
【特許文献】
【０００３】
【特許文献１】特開２００７−１８８１９７号公報
【発明の概要】
【発明が解決しようとする課題】
【０００４】
従来技術は、車番を、車両を特定する識別子として利用しているだけであり、車番に基づいた駐車場の利用に関する分析や、駐車場に至るまでの軌跡や駐車場を出た後の軌跡と関連つけた分析はできていない。
【０００５】
車番に基づいた分析としては、車番に記載されている陸運支局名を利用する方法はあり得る。しかし、例えば「湘南」の場合は、平塚市、藤沢市、小田原市、茅ケ崎市、秦野氏、伊勢崎市、南足柄市、高座郡、中郡、足柄上郡、足柄下郡で登録されている車両に付加されている。したがって、例えば商業施設などの駐車場の利用者がどの地域から来ているのかを分析するためには、陸運支局名では粗すぎる。
【０００６】
最近、車番の情報を送信すると自動車検査登録情報の一部（個人が特定できない程度の情報）を返信する有料のサービス（参考文献１：自動車検査登録情報提供サービス：［平成２６年３月４日検索］、インターネット<URL:https://www.e-airis.jp/teikyou/TeikyouServlet?__next=FA0101&__route=FA01>）も提供されており、車番からその車両が登録されている町名や車種の情報が得られる。本明細書では、車両が登録されている町名や車種の情報を「車検登録情報」と呼び、車番を入力すると車検登録情報を出力する装置を「登録データ管理装置」と呼ぶ。ただし、「車検登録情報」と「登録データ管理装置」は、参考文献１のサービスで提供される情報、提供するための装置に限定するものではない。
【０００７】
また、車両の軌跡に関するサービス（参考文献２：ケータイＷａｔｃｈ，ヤフー「路線・地図アプリ」、カーナビの走行軌跡を取得可能に：［平成２６年３月４日検索］、インターネット<URL: http://k-tai.impress.co.jp/docs/news/20100428_364279.html））がある。これらのサービスは個人向けのサービスである。しかし、ナビゲーションサービスの提供者は多数の軌跡情報を集めることが可能である。将来的には、個人を特定する情報を隠すなど、個人情報が分からないよう加工した上で軌跡のデータを提供することが考えられる。
【０００８】
そこで、本発明は、それぞれ独立に取得される情報である駐車場に設置されたカメラを用いて取得した車番の情報と、車両の軌跡の情報を用いて、駐車場の利用に関する分析に使えるデータを生成することを目的とする。
【課題を解決するための手段】
【０００９】
本発明のデータ生成システムは、場内装置とデータ生成装置とを備え、駐車場の利用に関する分析のためのデータを生成する。場内装置は、カメラ、車番認識部、車番情報生成部、車番情報記録部を備える。カメラは、駐車場に設置され、車両映像を取得する。車番認識部は、車両映像から車番を認識し、認識できた場合は車番を、認識できなかった場合はエラーを示すエラー情報を出力する。車番情報生成部は、車両映像ごとに、車番認識部が出力した車番またはエラー情報と当該車両映像が取得された日時の情報とを対応させた車番情報を取得する。車番情報記録部は、車番情報を記録する。データ生成装置は、リスト生成部、車検登録情報取得部、軌跡情報取得部、情報突合部、記録部を備える。リスト生成部は、車番情報の車番を含む問い合わせリストを生成する。車検登録情報取得部は、問い合わせリストの車番ごとの車検登録情報を取得し、当該車番に対応する車番情報に当該車検登録情報を対応させる。軌跡情報取得部は、駐車場を含むエリア内の車両の位置と日時を示す情報である軌跡情報を取得する。情報突合部は、軌跡情報が駐車場に入場したことを示している場合に、軌跡情報が示すカメラの位置のときの日時から、軌跡情報に対応する車番情報と車検登録情報とを求め、軌跡情報を車検登録情報に対応付ける。記録部は、車番情報と車検登録情報と軌跡情報を記録する。
【発明の効果】
【００１０】
本発明のデータ生成システムによれば、車両映像の取得日時と軌跡情報が示すカメラの位置での日時から、軌跡情報がどの車両番号の車両の軌跡を示しているかが把握できる。したがって、それぞれ独立に取得される情報である駐車場に設置されたカメラを用いて取得した車番の情報と、車両の軌跡の情報を用いて、駐車場の利用に関する分析に使えるデータを生成できる。
【図面の簡単な説明】
【００１１】
【図１】本発明のデータ生成システムの概要を示す図。
【図２】本発明のデータ生成システムの機能構成例を示す図。
【図３】実施例１のデータ生成システムの処理フロー例を示す図。
【図４】車番情報の例を示す図。
【図５】問い合わせリストの例を示す図。
【図６】車番ごとの車検登録情報の例を示す図。
【図７】車番情報に対応付けられた車検登録情報を示す図。
【図８】駐車場９００周辺の１つの車両の軌跡情報の例を示す図。
【図９】実施例２のデータ生成システムの処理フロー例を示す図。
【図１０】入庫車番情報の例を示す図。
【図１１】出庫車番情報の例を示す図。
【図１２】出庫車番情報に対応付けられた入庫車番情報の例を示す図。
【図１３】入庫車番情報に対応付けられた出庫車番情報の例を示す図。
【図１４】問い合わせリストの例を示す図。
【図１５】車番に対応する入庫車番情報と出庫車番情報に車検登録情報を対応させた例を示す図。
【発明を実施するための形態】
【００１２】
以下、本発明の実施の形態について、詳細に説明する。なお、同じ機能を有する構成部には同じ番号を付し、重複説明を省略する。
【実施例１】
【００１３】
図１に実施例１のデータ生成システムの概要を、図２に実施例１のデータ生成システムの機能構成例を、図３に実施例１のデータ生成システムの処理フロー例を示す。実施例１のデータ生成システム１０は、ネットワーク５００で接続された場内装置２００とデータ生成装置１００とを備え、駐車場９００の利用に関する分析のためのデータを生成する。なお、駐車場は、複数あっても構わない。また、ネットワーク５００には、操作端末３００、登録データ管理装置８００、軌跡データ管理装置７００も接続すればよい。操作端末３００は、場内装置２００やデータ生成装置１００の操作、データ生成装置１００が生成したデータを用いた駐車場９００の利用に関する分析などを行う。なお、操作端末３００は、複数台あってもよく、操作端末３００ごとに行える処理が異なってもよい。
【００１４】
登録データ管理装置８００は、例えば、参考文献１の自動車検査登録情報提供サービスのための装置であり、あらかじめ定めたフォーマットで車番の情報が入力されると、車番に対応する車両が登録されている町名や車種の情報である車検登録情報を出力する。また、登録データ管理装置８００は、車番から問い合わせ先を区別できる限りであれば、複数台存在してもよい。例えば、普通自動車の車検登録情報を出力する登録データ管理装置と、軽自動車の車検登録情報を出力する登録データ管理装置の２台が存在してもよい。軌跡データ管理装置７００は、ナビゲーションサービスを提供する会社が管理する装置を前提としている。しかし、車両の位置と日時の変化とＩＤ（データ個別番号などのデータを特定する記号）を示す情報である軌跡情報を管理する装置であれば、これに限るものではない。
【００１５】
場内装置２００は、少なくとも１つのカメラ２１０と管理端末２３０で構成される。管理端末２３０は、車番認識部２４０、車番情報生成部２５０、車番情報記録部２９０を備える。管理端末２３０は、パソコンなどのコンピュータにソフトウェアをインストールして実現すればよい。カメラ２１０は、例えば駐車場９００の入口９１０に設置され、車両映像を取得する。車番認識部２４０は、車両映像から車番を認識し、認識できた場合は車番を、認識できなかった場合はエラーを示すエラー情報を出力する（Ｓ２４０）。
【００１６】
車番情報生成部２５０は、車両映像ごとに、車番認識部２４０が出力した車番またはエラー情報と当該車両映像が取得された日時の情報とを対応させた車番情報を取得する（Ｓ２５０）。車番情報記録部２９０は、車番情報を記録する。図４は車番情報の例である。この例では、２０１３年１月４日に車番情報が示されているが、他の年月日のデータも車番情報には含まれている。
【００１７】
データ生成装置１００は、リスト生成部１１０、変換部１２０、車検登録情報取得部１３０、軌跡情報取得部１４０、情報突合部１５０、記録部１９０を備える。リスト生成部１１０は、車番情報の車番を含む問い合わせリストを生成する（Ｓ１１０）。図５は問い合わせリストの例である。変換部１２０は、問い合わせリストの車番の情報を、あらかじめ定めたフォーマットに変換する（Ｓ１２０）。「あらかじめ定めたフォーマット」とは、登録データ管理装置８００への入力の条件を満たすフォーマットである。登録データ管理装置８００が複数台ある場合は、問い合わせリストの車番の情報を問い合わせる登録データ管理装置ごとに分けた上で、登録データ管理装置ごとにあらかじめ定めたフォーマットに変換すればよい。例えば、普通自動車と軽自動車とで登録データ管理装置が異なる場合は、車番から普通自動車か軽自動車かを区別し、それぞれのフォーマットに変換すればよい。変換部１２０は、さらに、ネットワーク５００を介してあらかじめ定めたフォーマットの車番の情報を登録データ管理装置８００に送り、車検登録情報（車番に対応する車両が登録されている町名や車種の情報）を問い合わせてもよい。登録データ管理装置８００は、車番の情報を照合し、車検登録情報をデータ生成装置１００に送る（Ｓ８００）。なお、登録データ管理装置８００へのあらかじめ定めたフォーマットの車番の情報の送信は、変換部１２０が自動的に行ってもよいし、操作端末３００からの指示に従って行ってもよい。また、登録データ管理装置８００との情報の授受は、情報を記録した記録媒体を人手で受け渡すことによって行ってもよい。さらには、リスト生成部１１０が生成する問い合わせリストのフォーマットを変換する必要がないときは、変換部１２０は不要である。そのときは登録データ管理装置８００への問い合わせはリスト生成部１１０または車検登録情報取得部１３０が行えばよい。
【００１８】
車検登録情報取得部１３０は、問い合わせリストの車番ごとの車検登録情報を取得し、当該車番に対応する車番情報に当該車検登録情報を対応させる（Ｓ１３０）。なお、車検登録情報は、登録データ管理装置８００からネットワーク５００を介して取得してもよいし、記録媒体を介して取得してもよい。図６は車番ごとの車検登録情報の例を示しており、図５の問い合わせリストの順番に車検登録情報が並んでいる。図７は車番情報に対応付けられた車検登録情報を示しており、車両映像を取得した日時の情報も付加されている。
【００１９】
軌跡情報取得部１４０は、軌跡データ管理装置７００に軌跡情報を要求する（Ｓ１４１）。要求には、求める時間の範囲、地理的範囲（少なくとも駐車場９００を含む範囲）を示す情報を含めてもよいし、これらの条件はあらかじめ登録しておき、単に要求を示す信号とデータ生成装置１００の識別子を送るだけでもよい。そして、軌跡情報取得部１４０は、軌跡データ管理装置７００から、駐車場９００を含むエリア内の車両の位置と日時を示す情報である軌跡情報を取得する（Ｓ１４２）。図８は、駐車場９００周辺の１つの車両の軌跡情報の例を示している。図８は、説明のために１つの車両の軌跡情報しか示していないが、軌跡情報取得部１４０は、一度に複数の車両に対する軌跡情報を取得すればよい。
【００２０】
情報突合部１５０は、軌跡情報が駐車場に入場したことを示している場合に、軌跡情報が示すカメラ２１０の位置のときの日時から、軌跡情報に対応する車番情報と車検登録情報とを求め、軌跡情報を車検登録情報に対応付ける（Ｓ１５０）。記録部１９０は、車番情報と車検登録情報と軌跡情報を記録する。例えば、図８に示した軌跡情報は駐車場に入場している。そこで、情報突合部１５０は、カメラ２１０で車両映像を取得する位置（例えば入庫ゲートの位置）の日時を確認する。その結果、２０１３年１月４日の１１：３１であった場合、図７に示した車番情報と車検登録情報がら、この軌跡情報は番号６（車番：湘南500め3204，車検登録情報：神奈川県南足柄市塚原，小型乗用）の軌跡情報であることが分かる。記録部１９０は、対応付けられた車番情報、車検登録情報、軌跡情報を記録する。
【００２１】
例えば、駐車場利用者の駐車場への来場時の経路、退場後の経路は、住所に依存すると考えられる。車番情報と車検登録情報は、ほとんどの駐車場利用者の車両から取得でき、地域（町村）ごとに利用者数や比率が把握できるが、経路は分からない。一方、軌跡情報は、一部の駐車場利用者の情報しか得られず、かつ住所は分からない。データ生成システム１０によれば、車検登録情報と軌跡情報とを対応付けられるので、地域ごとの駐車場利用者の総数、および、地域ごとの駐車場利用者の駐車場への来場時の経路、退場後の経路が把握できる。したがって、操作端末３００での分析では、経路ごとの渋滞予測などの分析や、駐車場のどの位置に入口と出口を配置すれば渋滞が発生しにくいかなどの分析が可能になる（Ｓ３００）。なお、軌跡情報のエリアを広げれば、駐車場９００に来場前や来場後に経由した商業施設を知ることもでき、マーケティングの分析などにも利用できる可能性がある。
【００２２】
データ生成システム１０によれば、車両映像の取得日時と軌跡情報が示すカメラ２１０の位置での日時から、軌跡情報がどの車両番号の車両の軌跡を示しているかが把握できる。したがって、それぞれ独立に取得される情報である駐車場に設置されたカメラ２１０を用いて取得した車番の情報と、車両の軌跡の情報を用いて、駐車場の利用に関する分析に使えるデータを生成できる。
【実施例２】
【００２３】
実施例１は、車両映像を取得した日時の情報と軌跡情報の日時の情報とが正確であることを前提としている。しかし、位置の情報や日時の情報の誤差がある場合や、プライバシー保護の観点などから、情報をある程度あいまいにして軌跡情報が提供される可能性を考慮する必要がある場合もありえる。そして、車両映像を取得した日時と軌跡情報が示す日時との間の誤差を考慮する必要がある場合や、軌跡情報が示す日時が範囲（例えば１１時１５分０秒〜１１時１９分５９秒）を示す情報の場合には、複数の車両番号が１つの軌跡情報に対応する可能性がありえる。したがって、１つの車両映像だけでは車両情報と車検登録情報と軌跡情報とを対応付けられない。実施例２では、場内装置２００が、駐車場９００の入口９１０のカメラ２１０と出口９２０のカメラ２２０の２つを備える場合について説明する。この場合には、車番情報には、カメラ２１０が取得した車両映像に基づく入庫車番情報と、カメラ２２０が取得した車両映像に基づく出庫車番情報がある。
【００２４】
図１に実施例２のデータ生成システムの概要を、図２に実施例２のデータ生成システムの機能構成例を、図９に実施例２のデータ生成システムの処理フロー例を示す。実施例２のデータ生成システム１０’は、ネットワーク５００で接続された場内装置２００とデータ生成装置１００’とを備え、駐車場９００の利用に関する分析のためのデータを生成する。なお、駐車場は、複数あっても構わない。また、ネットワーク５００には、操作端末３００、登録データ管理装置８００、軌跡データ管理装置７００も接続すればよい。操作端末３００は、場内装置２００やデータ生成装置１００’の操作、データ生成装置１００’が生成したデータを用いた駐車場９００の利用に関する分析などを行う。なお、操作端末３００、登録データ管理装置８００、軌跡データ管理装置７００は実施例１と同じである。
【００２５】
場内装置２００は、２つのカメラ２１０，２２０と管理端末２３０で構成される。管理端末２３０は、少なくとも車番認識部２４０、車番情報生成部２５０、車番情報記録部２９０を備える。管理端末２３０は、パソコンなどのコンピュータにソフトウェアをインストールして実現すればよい。カメラ２１０は、駐車場９００の入口９１０に設置され、入庫車両映像を取得する。カメラ２２０は、駐車場９００の出口９２０に設置され、出庫車両映像を取得する。車番認識部２４０は、入庫車両映像および出庫車両映像から車番を認識し、認識できた場合は車番を、認識できなかった場合はエラーを示すエラー情報を出力する（Ｓ２４０）。
【００２６】
車番情報生成部２５０は、入庫車両映像ごとに、車番認識部２４０が出力した車番またはエラー情報と当該入庫車両映像が取得された日時の情報とを対応させた入庫車番情報を取得する。また、車番情報生成部２５０は、出庫車両映像ごとに、車番認識部２４０が出力した車番またはエラー情報と当該出庫車両映像が取得された日時の情報とを対応させた出庫車番情報を取得する（Ｓ２５０）。車番情報記録部２９０は、入庫車番情報と出庫車番情報とを記録する。図１０は入庫車番情報の例、図１１は出庫車番情報の例である。車番情報記録部２９０に記録されている段階では、入庫車番情報と出庫車番情報とは対応付けられていない。この例では、２０１３年１月４日に入庫した車両、出庫した車両が示されているが、他の年月日のデータも入庫車番情報、出庫車番情報には含まれている。Ｎは２０１３年１月４日に入庫した車両の総数であり、その日の入庫車番情報の総数である。Ｍは２０１３年１月４日に出庫した車両の総数であり、その日の出庫車番情報の総数である。夜間に駐車する車両もあり得るので、必ずしもＮ＝Ｍではない。
【００２７】
データ生成装置１００’は、リスト生成部１１０’、変換部１２０、車検登録情報取得部１３０’、軌跡情報取得部１４０、情報突合部１５０’、記録部１９０を備える。リスト生成部１１０’は、あらかじめ定めた比較条件を満たす複数の入庫車番情報と複数の出庫車番情報とを入力とする。「あらかじめ定めた比較条件」とは、入庫した車両が出庫する確率が高い条件を定めればよい。例えば、夜間に駐車する車両がほとんどない商業施設などの場合は、入庫と出庫とが同じ日の範囲を比較条件とすればよい。また、夜間に駐車する車両がほとんどである宿泊施設の場合は、入庫と出庫の日をずらして比較条件とすればよい。そして、リスト生成部１１０’は、車番が同一であり、かつ日時の矛盾が生じない入庫車番情報と出庫車番情報とがある場合には、当該入庫車番情報と当該出庫車番情報とを対応させ、その車番を含む問い合わせリストを生成する（Ｓ１１０’）。「日時の矛盾が生じない」とは、出庫時刻が入庫時刻よりも前になっている場合など、あり得ない日時を除く意味であり、「あらかじめ定めた比較条件」を考慮しながら適宜定めればよい。図１２と図１３は、互いに対応付けられた入庫車番情報と出庫車番情報の例を示している。また、図１４は問い合わせリストの例である。これらの例は、２０１３年１月４日に入庫した車両と２０１３年１月４日に出庫した車両を比較条件として定めて、図１０の入庫車番情報と図１１の出庫車番情報とを比較した結果である。Ｋは、車番が同一であり、かつ日時の矛盾が生じない（入庫時刻が出庫時刻よりも前の）入庫車番情報と出庫車番情報の数であり、Ｋ≦ＮかつＫ≦Ｍの整数である。入庫車番情報と出庫車番情報とを比較して問い合わせリストを作成するので、車番が正しい確率を上昇させることができる。
【００２８】
ただし、実際の設備では、カメラ２１０またはカメラ２２０が故障したために、入庫車番情報または出庫車番情報が得られないことも想定される。このような場合のために、入庫車番情報と出庫車番情報とを比較することなく、得られている一方の情報（入庫車番情報または出庫車番情報）だけから問い合わせリストを作成できるようにしておいてもよい。
【００２９】
変換部１２０は実施例１と同じである。車検登録情報取得部１３０’は、問い合わせリストの車番ごとの車検登録情報を取得し、当該車番に対応する入庫車番情報と出庫車番情報に当該車検登録情報を対応させる（Ｓ１３０’）。なお、車検登録情報の取得方法は実施例１と同じである。図１５は、車検登録情報取得部１３０’が、車番に対応する入庫車番情報と出庫車番情報に車検登録情報を対応させた例である。軌跡情報取得部１４０は、実施例１と同じであり、図８に示したような軌跡情報を取得する。
【００３０】
車両映像を取得した日時と軌跡情報が示す日時との間の誤差を考慮する必要がある場合には、情報突合部１５０’は、入庫車番情報の日時が、軌跡情報が示すカメラ２１０の位置のときの日時とあらかじめ定めた範囲の日時であり、かつ、出庫車番情報の日時が、前記軌跡情報が示すカメラ２２０の位置のときの日時とあらかじめ定めた範囲の日時である車検登録情報を求め、軌跡情報を車検登録情報に対応付ける（Ｓ１５０’）。あらかじめ定めた範囲とは、考慮しなければならない誤差の範囲から定めればよい。例えば、あらかじめ定めた範囲が±２分であり、軌跡情報が示すカメラ２１０の位置のときの日時が１１時１７分のとき、誤差の範囲を考慮すると図１５の番号３，４の２つの車番が該当する可能性がある。その軌跡情報が示すカメラ２２０の位置のときの日時が１２時１４分であれば、番号３の車検登録情報に軌跡情報を対応付ける。
【００３１】
また、軌跡情報が示す日時が範囲を示す情報の場合には、情報突合部１５０’は、入庫車番情報の日時が、軌跡情報が示すカメラ２１０の位置のときの日時の範囲であり、出庫車番情報の日時が、軌跡情報が示すカメラ２２０の位置のときの日時の範囲である車検登録情報を求め、軌跡情報を車検登録情報に対応付ける（Ｓ１５０’）。例えば、軌跡情報が示すカメラ２１０の位置のときの日時の範囲が１１時１５分０秒〜１１時１９分５９秒のとき、図１５の番号３，４の２つの車番が該当する可能性がある。その軌跡情報が示すカメラ２２０の位置のときの日時の範囲が１２時１５分０秒〜１２時１９分５９秒であれば、番号３の車検登録情報に軌跡情報を対応付ける。記録部１９０は、対応付けられた車番情報、車検登録情報、軌跡情報を記録する。
【００３２】
操作端末３００は実施例１と同じである。したがって、データ生成システム１０’も実施例１と同様の効果が得られる。また、入庫車番情報と出庫車番情報の２つの車番情報を用いるので、情報が誤差やあいまいさを含む場合でも精度の良い分析用のデータを生成しやすい。
【００３３】
［プログラム、記録媒体］
上述の各種の処理は、記載に従って時系列に実行されるのみならず、処理を実行する装置の処理能力あるいは必要に応じて並列的にあるいは個別に実行されてもよい。その他、本発明の趣旨を逸脱しない範囲で適宜変更が可能であることはいうまでもない。
【００３４】
また、上述の構成をコンピュータによって実現する場合、各装置が有すべき機能の処理内容はプログラムによって記述される。そして、このプログラムをコンピュータで実行することにより、上記処理機能がコンピュータ上で実現される。
【００３５】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。
【００３６】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００３７】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。
【００３８】
また、この形態では、コンピュータ上で所定のプログラムを実行させることにより、本装置を構成することとしたが、これらの処理内容の少なくとも一部をハードウェア的に実現することとしてもよい。
【産業上の利用可能性】
【００３９】
本発明は、駐車場周辺の渋滞の分析など、駐車場の利用に関する分析に利用できる。
【符号の説明】
【００４０】
１０，１０’  データ生成システム          １００，１００’  データ生成装置
１１０，１１０’  リスト生成部            １２０  変換部
１３０，１３０’  車検登録情報取得部      １４０  軌跡情報取得部
１５０，１５０’  情報突合部              １９０  記録部
２００  場内装置                          ２１０，２２０  カメラ
２３０  管理端末                          ２４０  車番認識部
２５０  車番情報生成部                    ２９０  車番情報記録部
３００  操作端末                          ５００  ネットワーク
７００  軌跡データ管理装置                ８００  登録データ管理装置
９００  駐車場
【図１】
2015176289.tif 000003
【図２】
2015176289.tif 000004
【図３】
2015176289.tif 000005
【図４】
2015176289.tif 000006
【図５】
2015176289.tif 000007
【図６】
2015176289.tif 000008
【図７】
2015176289.tif 000009
【図８】
2015176289.tif 000010
【図９】
2015176289.tif 000011
【図１０】
2015176289.tif 000012
【図１１】
2015176289.tif 000013
【図１２】
2015176289.tif 000014
【図１３】
2015176289.tif 000015
【図１４】
2015176289.tif 000016
【図１５】
2015176289.tif 000017